(57)【要約】      （修正有）【課題】新たな手法を用いたデザインマンホールの開発，ならびにこれの活用方法の提供。【解決手段】施設の説明表示と，施設の誘導表示を備えることを特徴とするマンホール蓋，およびこのマンホール蓋を用いて統一的な広告宣伝を行い，自治体のイメージを向上させる宣伝方法。一例として，マンホール蓋を医療施設を目的に用いることにより，地方自治体として，健康にやさしく，元気で明るい街づくりを目指している方向性を広告宣伝するものであり，これにより，ユニバーサル，安全安心，健康・予防医療，高齢者渉外支援，子育て，生活環境保全，先進医療活性化，設備投資，医療ツアー・外客対応，障害者・高齢者の効用創出など，自治体としての重視しているこれらのコンセプトの発信を，マンホール蓋を通じて行うことができる。【選択図】図１
2017053142.tif 000002
【特許請求の範囲】
【請求項１】
企業や施設，イベント会場，キャラクターなど対象宣伝物の説明・広告表示，ならびに対象宣伝物への誘導表示を備えることを特徴とするマンホール蓋
【請求項２】
前記誘導表示が，方向を指し示す方向表示アイコンと，対象宣伝物までの距離表示からなることを特徴とする請求項１に記載のマンホール蓋
【請求項３】
前記誘導表示において，避難施設への誘導表示がなされることを特徴とする請求項１又は２に記載のマンホール蓋
【請求項４】
前記方向表示アイコンが，矢印アイコンないし指さしアイコンからなることを特徴とする請求項２又は３に記載のマンホール蓋
【請求項５】
前記誘導表示が，ウェブサイトアドレス，バーコード読取表示からなることを特徴とする請求項１に記載のマンホール蓋
【請求項６】
前記対象宣伝物が，企業，病院，医療クリニック，診療所のいずれか又は複数からなることを特徴とする請求項１から５に記載のマンホール蓋
【請求項７】
前記対象宣伝物が，地域関連性を有する宣伝物であることを特徴とする請求項１から５に記載のマンホール蓋
【請求項８】
地域関連性を有する宣伝物が，ご当地キャラクター，ご当地ゲームアイテム，ご当地ミュージック，ご当地ビデオ，ご当地アイドル，ご当地グルメ，ご当地名産品のいずれか又は複数から選択されることを特徴とする請求項７に記載のマンホール蓋
【請求項９】
さらに，ＡＲ表示機能を備えることを特徴とする請求項１から８に記載のマンホール蓋
【請求項１０】
前記ＡＲ表示機能により，宣伝物が携帯電子端末上に表示されることを特徴とする請求項９に記載のマンホール蓋
【請求項１１】
さらに，前記表示された宣伝物との写真撮影が可能なことを特徴とする請求項１０に記載のマンホール蓋
【請求項１２】
前記請求項１ないし１１に記載のマンホール蓋による統一的な広告宣伝を行い，マンホール蓋の保守管理費用削減と自治体収入を支援するとともに，自治体のイメージを向上させる宣伝方法
【発明の詳細な説明】
【技術分野】
【０００１】
本発明は，広告付きマンホール（マンホール広告）蓋，ならびにこれを用いた宣伝方法に関する。
【背景技術】
【０００２】
マンホール蓋は，下水道の地表表面に設置される鉄製の蓋である。マンホール蓋は，作業員が下水道へ入る入り口を塞ぐとともに，一定の強度を有し道路の一部としても機能している。
マンホールは，上下水道の普及により様々な場所に設置されており，このマンホールの蓋にデザインを施したマンホール蓋（以下，「デザインマンホール」）が散見されるようになった（特許文献１）。
【先行技術文献】
【特許文献】
【０００３】
【特許文献１】特開２００２−１８８１６９
【発明の開示】
【発明が解決しようとする課題】
【０００４】
デザインマンホールは，地方自治体のマークや球団キャラクターなど，種々のデザインが施されており，その広告効果は高い。しかるに，マンホール蓋自体が，数多く設置されているにも関わらず，未だ，そのようなデザインマンホールが広がっていないのが現状である。
発明者は，広告宣伝を主たる業務とする法人の創業者兼代表取締役であり，様々な広告宣伝をプロデュースしてきた。発明者は，広告宣伝のリソースとして，デザインマンホールが活用されていない現状に着目し，これを用いた新たなブランディング手法の開発に着手したものである。
【０００５】
上記事情を背景として，本発明では，新たなデザインマンホールの開発，ならびにこれの活用方法の提供を課題とする。
【課題を解決するための手段】
【０００６】
発明者は，鋭意研究の結果，マンホール蓋が道路表面に設置されており，また，これが現在ではほとんどの道路に網羅的に配置されていることから，マンホール蓋が，道しるべ的機能や誘導的機能を果たしうる，もしくはこれら機能を示唆するものであることに着目した。これより発明者は，マンホール蓋に広告宣伝を行うための説明・広告表示を付するだけでなく，道しるべ的機能ないし誘導的機能を持たせた誘導表示を合わせて付した，新たなデザインマンホールに着想し，発明を完成させたものである。
さらに発明者は，かかる説明・広告表示について，施設やイベント行事，企業など，一定の目的に則した使用とすることにより，街自体のイメージを統一ないし向上させるブランディング手法に着想し，発明を進化させたものである。
【０００７】
本発明は，以下の構成からなる。
本発明の第一の構成は，企業や施設，イベント会場，キャラクターなど対象宣伝物の説明・広告表示，ならびに対象宣伝物への誘導表示を備えることを特徴とするマンホール蓋である。
【０００８】
本発明の第二の構成は，前記誘導表示が，方向を指し示す方向表示アイコンと，対象宣伝物までの距離表示からなることを特徴とする第一の構成に記載のマンホール蓋である。
本発明の第三の構成は，前記誘導表示において，避難施設への誘導表示がなされることを特徴とする第一又は第二の構成に記載のマンホール蓋である。
本発明の第四の構成は，前記方向表示アイコンが，矢印アイコンないし指さしアイコンからなることを特徴とする第一又は第二の構成に記載のマンホール蓋である。
本発明の第五の構成は，前記誘導表示が，ウェブサイトアドレス，バーコード読取表示からなることを特徴とする第一の構成に記載のマンホール蓋である。
【０００９】
本発明の第六の構成は，前記対象宣伝物が，企業，病院，医療クリニック，診療所のいずれか又は複数からなることを特徴とする第一から第五の構成に記載のマンホール蓋である。
本発明の第七の構成は，前記対象宣伝物が，地域関連性を有する宣伝物であることを特徴とする第一から第五の構成に記載のマンホール蓋である。
本発明の第八の構成は，地域関連性を有する宣伝物が，ご当地キャラクター，ご当地ゲームアイテム，ご当地ミュージック，ご当地ビデオ，ご当地アイドル，ご当地グルメ，ご当地名産品のいずれか又は複数から選択されることを特徴とする第七の構成に記載のマンホール蓋である。
【００１０】
本発明の第九の構成は，さらに，ＡＲ表示機能を備えることを特徴とする第一から第八の構成に記載のマンホール蓋である。
本発明の第十の構成は，前記ＡＲ表示機能により，宣伝物が携帯電子端末上に表示されることを特徴とする第九の構成に記載のマンホール蓋である。
本発明の第十一の構成は，さらに，前記表示された宣伝物との写真撮影が可能なことを特徴とする第十の構成に記載のマンホール蓋である。
【００１１】
本発明の第十二の構成は，前記第一ないし第十一の構成に記載のマンホール蓋による統一的な広告宣伝を行い，マンホール蓋の保守管理費用削減と自治体収入を支援するとともに，自治体のイメージを向上させる宣伝方法である。
【発明の効果】
【００１２】
本発明により，新たなデザインマンホール，ならびにこれの活用方法の提供が可能となった。
【図面の簡単な説明】
【００１３】
【図１】病院における本発明のマンホール蓋の例
【図２】病院における本発明のマンホール蓋の例
【図３】法人における本発明のマンホール蓋の例
【図４】法人における本発明のマンホール蓋の例
【図５】法人における本発明のマンホール蓋の例
【図６】法人における本発明のマンホール蓋の例
【図７】イベント行事における本発明のマンホール蓋の例
【図８】イベント行事における本発明のマンホール蓋の例
【図９】病院における本発明のマンホール蓋の例
【図１０】クリニックにおける本発明のマンホール蓋の例
【図１１】クリニックにおける本発明のマンホール蓋の例
【図１２】クリニックにおける本発明のマンホール蓋の例
【発明を実施するための形態】
【００１４】
以下，本発明のマンホール蓋，およびこれを用いた宣伝方法について，図面を例にとり説明を行う。
【００１５】
本発明のマンホール蓋は，施設やイベント行事，企業など対象宣伝物の説明表示部分，ならびに誘導表示部分，これらを備えたことを特徴とする。
【００１６】
施設やイベント行事，企業など対象宣伝物の説明表示は，対象宣伝物を広告宣伝物とし説明・紹介するための表示として定義される。
対象宣伝物は，本発明のマンホール蓋において宣伝広告の対象となりうるものとして定義される。対象宣伝物は，マンホール蓋があらゆる年代の人の目に触れ，かつ，基本的には自治体が管理するという性質から，法令上ないし倫理上，問題のないものにすることが好ましいが，特に限定する必要はなく，種々のものについて対象宣伝物とすることができる。対象宣伝物として，例えば，病院やクリニック，図書館，体育館などの施設，企業，イベント行事，キャラクターなどが挙げられる。
図１，図２，図７から１０については，対象宣伝物として病院等の医療施設が表示されている例である。また，図３から６については株式会社が，図７および図８についてはイベントが，対象宣伝物として表示されている例である。
なお，図５に示す通り，避難施設である旨，ならびにこれの誘導表示を行うことが好ましい。マンホール蓋が日常生活において目に付く場所に設置されており自治体住民はこの誘導表示を繰り返し認識しうること，ならびに，緊急時においても容易に避難施設とその避難経路を認識しうることから，災害時などの防犯対策として活用することができる。
加えて，法人などの場合，法人施設が緊急時に避難施設となりうること，ならびに，マンホールを寄贈したことを表示することにより，企業の社会的責任を果たすとともに，地域貢献を行っている法人として，イメージアップ効果が期待できる。すなわち，かかる避難誘導経路表示が，法人のCSR広告として機能することが期待できる。
【００１７】
説明表示については，対象宣伝物の内容を表示しうるものである限り特に限定する必要はなく，種々の情報を用いて説明表示を行うことができる。説明表示の内容として，施設や企業などの場合，典型的には，名称や電話番号などが挙げられる。また，イベント行事の場合は，イベント会場，イベント内容，開催期間などが挙げられる。
図１は，説明表示の内容として，施設名である「○×総合病院」と，「総合診療外来」などの標榜診療科が表示されている例であり，図２はさらに電話番号「123-456-7890」が表示されている例である。
図３から６は，説明表示の内容として，会社名である「○×株式会社」が，図７および８は，説明表示の内容として，イベント内容である「○×イベント」が表示されている例である。また，図３および４は，さらに電話番号「123-456-7890」が表示されている例である。
【００１８】
説明表示として，絵表示を用いることが好ましい。これにより，対象宣伝物の内容を直感的に理解できるとともに，対象宣伝物が施設やイベント行事などの場合，文字を理解できない外国人であっても目的地まで容易に到達することが期待できるという効果を有する。また，キャラクターなどの場合は，絵表示を見ることによりすぐにキャラクターを認識できる。さらに，絵表示により，マンホール蓋自体が華やかなものとなり，道路の外観を明るく，かつ，楽しいものにするという効果が期待できる。
図２，および図９から１２は，絵表示の例である。図２は総合病院として看護師の絵表示がなされている例である。同様に，図９は，総合病院として老若男女の絵表示がなされている例である。図１０は産婦人科として子供を抱いているお母さんの絵表示が，図１１および図１２は子供クリニックとして幼児の絵表示がなされている例である。
【００１９】
誘導表示は，対象宣伝物への誘導を促すための表示として定義される。誘導表示については，物理的誘導と観念的誘導，これら二つに分けることができる。
すなわち，物理的誘導については，対象宣伝物が施設等の場合，マンホール蓋からの方向および距離などを物理的に説明するためのものであり，方向を指し示す矢印や○○Mなどの距離表示によりなされるものである。一方，観念的誘導については，対象宣伝物がキャラクターや通販物品等の場合のものであり，ウェブアドレスやバーコード読取表示などにより，インターネット空間に誘導するものである。
【００２０】
誘導表示については，物理的誘導ないし観念的誘導を果たしうる限り特に限定する必要はなく，種々の表示を用いて誘導表示を行うことができる。また，これら物理的誘導ないし観念的誘導を単独で用いることもできるし，両方を備えて用いることもできる。
物理的誘導表示の内容として，典型的には，方向を示すアイコンや距離の表示などが挙げられる。また，観念的誘導表示の内容として，典型的には，ウェブアドレスやＱＲコード（登録商標）などが挙げられる。
図１から３，図５から７，図９から１１には，方向を示す矢印アイコンならびに距離を示す「直進50M」の文字表記，これらが組み合わされて誘導表示として構成されている。また，図４，８，１２には，方向を示す指差しアイコンならびに距離を示す「直進50M」の文字表記，これらが組み合わされて誘導表示として構成されている。図６には，矢印アイコンに加えて，観念的誘導としてのウェブアドレスが合わせて表示されている。
【００２１】
本発明のマンホール蓋において，説明・広告表示を一定の目的に則した使用とすることが好ましい。マンホール蓋は，そのほとんどが地方自治体により管理されているため，これにより，街自体のイメージを統一化し，ブランディングイメージを高める効果が期待できる。
本発明のマンホール蓋を用いることにより，従来，単なる道路の一部に過ぎなかったものが，彩りが豊かになり，活発で楽しい街というイメージを醸成することが可能となる。また，マンホール蓋は，従来，単なる保守管理の一部としての経費に過ぎなかったが，広告提供元からの広告費収入を得るとともに保守管理費の軽減が期待できるという付加的な効果が期待できる。
【００２２】
一定の目的について，特に限定する必要はなく，ブランディング効果が期待できる種々の目的とすることができる。例えば，寺やお城などに用いて学術文化的な自治体であることをアピールしたり，幼稚園や保育園などに用いて子育て支援が充実した自治体であることをアピールするなどである。
【００２３】
特に地域時自治体の場合，対象宣伝物について地域関連性を有する宣伝物とすることが好ましい。これにより，地域自治体について効果的な宣伝広告が可能となるとともに，地元住民の知識を深めることもでき，地元に愛される地域自治体づくりが可能となる。
地域関連性を有する宣伝物は，地域に関連性を有する限り特に限定する必要はないが，例えば，ご当地キャラクター，ご当地ゲームアイテム，ご当地ミュージック，ご当地ビデオ，ご当地アイドル，ご当地グルメ，ご当地名産品などが挙げられる。
【００２４】
本発明のマンホール蓋において，AR（augmented reality）表示機能を備えることが好ましい。これにより，マンホール蓋の記載を越えた情報を付加できるとともに，音声や動画による情報なども利用でき，例えば，多言語に対応した広告が可能となるなど，マンホール蓋の広告効果を高める効果を有する。
例えば，AR広告表示機能でWEBアドレスにリンクさせ，翻訳言語対応化した先進医療の広告・告知を行うなどすることにより，国内観光や外国からのツアーの呼び込みなどの効果的な広告宣伝効果を期待することができる。
さらにAR表示機能により，対象宣伝物を携帯電子端末上に表示することができる。これにより，より効果的な宣伝広告が可能となるとともに，対象宣伝物と写真を撮ったり，対象宣伝物をゲームアイテムとして入手することができるなどすることにより，観光客の誘引効果をも期待できる。
【００２５】
本発明のマンホール蓋について，病院，クリニック，診療所などの医療施設に用いることが好ましい。この場合，地方自治体として，健康にやさしく，元気で明るい街づくりを目指している方向性を広告宣伝するものである。これにより，ユニバーサル，安全安心，健康・予防医療，高齢者障害支援，子育て，生活環境保全，先進医療活性化，設備投資，医療ツアー・外客対応，障害者・高齢者の効用創出など，自治体として重視しているこれらのコンセプトの発信を，マンホール蓋を通じて行うことができる。
また，この場合の付加的な効果として，医療機関を容易に把握することができるため，救急車両の出動機会を抑制する効果が期待できる。
【図１】
2017053142.tif 000003
【図２】
2017053142.tif 000004
【図３】
2017053142.tif 000005
【図４】
2017053142.tif 000006
【図５】
2017053142.tif 000007
【図６】
2017053142.tif 000008
【図７】
2017053142.tif 000009
【図８】
2017053142.tif 000010
【図９】
2017053142.tif 000011
【図１０】
2017053142.tif 000012
【図１１】
2017053142.tif 000013
【図１２】
2017053142.tif 000014